【事件の表示】
　特願２００３−４１１５１２「液晶表示装置のマウンティングフレームの結合構造」拒絶査定不服審判事件〔平成１６年　７月２２日出願公開、特開２００４−２０６０９５〕について、次のとおり審決する。
【結　論】
　本件審判の請求は、成り立たない。
【理　由】
１．手続の経緯
　本願は、平成１５年１２月１０日（パリ条約による優先権主張２００２年１２月２４日、大韓民国）の出願であって、平成１９年１１月１３日付けで拒絶査定がなされ、これに対し、平成２０年２月１４日に拒絶査定不服審判が請求されるとともに、同日付けで手続補正がなされたが、その後当審において、平成２１年１月２９日付けで拒絶理由（以下、「当審拒絶理由」という。）が通知され、それに応答して同年５月１日付けで意見書が提出されるとともに手続補正がなされたものである。
　
　
２．当審拒絶理由の概要
　
　当審拒絶理由の概要は以下のとおりである。
　
　本願の請求項１−５に係る発明は、その優先権主張の日前に日本国内において頒布された下記の刊行物１，２に記載された発明と周知技術とに基いて、その優先権主張の日前にその発明の属する技術の分野における通常の知識を有する者が容易に発明をすることができたものであるから、特許法第２９条第２項の規定により特許を受けることができない。
　　　　　　　　　　　　　　　　　　記　
　
　刊行物１：特開２００２−４０３９６号公報
　刊行物２：特開２００１−３３０８１７号公報
　
３．本願発明
　
　本願の請求項１に係る発明は、平成２１年５月１日付け手続補正書により補正された特許請求の範囲、明細書及び図面の記載から見て、その特許請求の範囲の請求項１に記載されたとおりのものであるところ、その請求項１に記載された発明は、以下のとおりである。
　
「【請求項１】
　画像を表示する液晶パネルと前記液晶パネルの下部に設けられるバックライト部を収納するサポートメインと、
　前記サポートメインの上部に設けられ、前記液晶パネルとサポートメインが前面に離脱することを防止し、外面の内側に曲折した段差部が形成されるメタルサッシと、
　前記メタルサッシの段差部に結合されるマウンティングフレームを含めてなり、ここで、前記段差部の深さは、前記段差部に結合される前記マウンティングフレームの厚さより深く形成され、
　前記マウンティングフレームは、回路基板などが位置するように空間を形成すると共に、メタルサッシの段差部に結合されるサイド部を含めてなり、
　前記サイド部にはフックが形成され、前記メタルサッシとサポートメインにはフックが挿入されるホールが貫通形成され、
　前記段差部の深さは前記サイド部の厚さより深く形成され、
　前記サイド部とメタルサッシには結合のための締結ホールが貫通して形成され、前記サポートメインには前記締結ホールに対応する締結溝が形成され、
　前記締結ホールと締結溝の内面には螺子結合のための螺子山が形成される
液晶表示装置のマウンティングフレームの結合構造。」（以下、「本願発明」という。）
　
４．特許法第２９条第２項について
　
４−１　引用する刊行物
　
　刊行物１：特開２００２−４０３９６号公報
　刊行物２：特開２００１−３３０８１７号公報
　（当審拒絶理由で引用した刊行物１，刊行物２と同一）
　
４−１−１　本願の優先権主張の日前に頒布され、当審拒絶理由に引用された刊行物１には、図面とともに以下の事項が記載されている。
　
（イ）「【０００１】　
　【発明の属する技術分野】本発明は液晶表示装置に関し、特に液晶モジュールの固定用のナットの空回りを防止する液晶表示装置に関する。　
　【０００２】通常、ノートブックコンピュータの表示装置として利用される液晶モジュールは図１及び図２に表したように、インサートナット（５４）が圧入されたサポートメイン（Support/Main　）（５８）と、サポートメイン（５８）の内部に積層されるバックライトユニット及び液晶パネルと、サポートメイン（５８）の一方の底面と側面を覆うカバーボトム（６２）と、サポートメイン（５８）と液晶パネルを固定するためのケーストップ（５２）とを具備する。サポートメイン（５８）は、その内部の側壁面が階段型の段差面で構成された成形品である。このサポートメイン（５８）の内部の最低層には導光板（１０）、反射鏡（１２）、上/下部の拡散シート（１４、２０）及び上/下部の拡散シート（１４、２０）及び上/下部フリーズムシート（１６、１８）と図示しないランプハウジングを含むバックライトユニットが装着されて、その上に偏光板（６、８）がそれぞれ付着された上/下部基板（２、４）とその間に液晶が注入された液晶パネルが積層される。サポートメイン（５８）の両側面に圧入されたインサートナット（５４）は黄銅で製作される。図示しないランプハウジングはランプが内装されてサポートメイン（５８）にネジで締結される。このようなランプハウジングはプラグ（６０）を通してインバータに接続される。カバーボトム（６２）は、サポートメイン（５８）の底面と側面を覆うために垂直に折り曲げられた平面部と側面部とから構成される。このカバーボトム（６２ａ）の側面部にはスクリュー（５６）が貫通するスクリューホール（６２ａ）が形成される。サポートメイン（５８）の側面に圧入されたインサートナット（５４）は、たとえば、黄銅で製作される。ケーストップ（５２）は直角に折り曲げられた平面部と側面部を有する長方形である。このケーストップの側面部にはスクリュー（５６）が貫通するスクリューホール（５２ａ）が形成される。　
　【０００３】このような液晶モジュールは、ケーストップ（５２）の側面に形成されたスクリューホール（５２ａ）にスクリュー（５６）によって固定される。液晶モジュールの図２において左側に示した部分は、ケーストップ（５２）のスクリューホール（５２ａ）を貫通してサポートメイン（５８）に圧入されたスクリュー（５８）によって固定される。そして液晶モジュールの図２で右側に示した部分はケーストップ（５２）とケースボトム（６２）上に形成されたスクリューホール（５２ａ、６２ａ）を貫通してサポートメイン（５８）に圧入されたスクリュー（５８）によって固定される。」　
　　
（ロ）【００１０】　
　【発明の実施態様】以下、本発明の実施例を添付した図３乃至図７を参照して本発明の好ましい実施例について説明する。図３に示したように、本発明による液晶表示装置は、バックライトユニットと液晶パネルが積層されたサポートメイン（２８）と、インサートナット（２４）が圧入されてサポートメイン（２８）と液晶パネルを固定するためのケーストップ（５２）とを具備する。サポートメイン（２８）は、例えば、アーセイとパネルガイド（４２）の間に設置された第１シリコンパッド（５４）と、ポリカーボネートで成形された成形品で、その内部の側面が階段型の段差面に成形される。サポートメイン（２８）の内部の最低層にはバックライトユニットが装着されて、その上に液晶パネルが積層される。このサポートメイン（２８）はインサートナットが圧入されなくて成形時にスクリュー（２６）が差し込まれるスクリュー孔（２８ａ）が形成される。ケーストップ（２２）は図４のように直角に折り曲げられた平面部と側面部を有する四角形のステンレスで製作される。・・・。　
　【００１１】このようにケーストップ（２２）にインサートナット（２４）が圧入されると、インサートナット（２４）とサポートメイン（２８）の側面に形成されたスクリュー孔（２８ａ）が対向されてケーストップ（２２）の平面部が液晶パネルの縁側に接触するようにケーストップ（２２）とサポートメイン（２８）が組み立てられる。そしてインサートナット（２４）にはスクリュー（２６）が差し込まれた後、締め付けを行う。スクリュー（２６）の締結時にインサートナット（２４）とサポートメイン（２８）が共に結合されてケーストップ（２２）が外側に離れることを防止することができる。そうすると液晶パネルとバックライトユニットを支持するサポートメイン（２８）にケーストップ（２２）が図７のようにスクリュー（２６）によって固定される。」　
　　
　上記記載事項（イ）と図１，及び図２を総合勘案すると、刊行物１には、次の発明が記載されていると認められる。　
　「ノートブックコンピュータの表示装置を構成する液晶パネルと前記液晶パネルの下部に設けられるバックライトユニットを収納するサポートメイン５８と、　
　前記サポートメイン５８の上部に設けられ、直角に折り曲げられた平面部と側面部とを有し、前記平面部が前記液晶パネルの前面に位置し、前記サポートメイン５８と前記液晶パネルを固定するためのケーストップ５２と、
　前記ケーストップ５２の側面部にその側面部が結合されるカバーボトム６２を有し、
　前記ケーストップと前記カバーボトムの側面上に形成されたスクリューホールを貫通しサポートメインの側部に圧入されたインサートナットと係合するスクリューによって、前記ケーストップ、前記カバーボトム、前記サポートメインが結合される　
　液晶表示装置のカバーボトムの結合構造。」（以下、「引用発明」という。）　
　　
４−１−２　本願の優先権主張の日前に頒布され、当審拒絶理由に引用された刊行物２には、図面とともに以下の事項が記載されている。　
　　
（ハ）「【００２３】　
　【発明の実施の形態】以下、本発明の一実施の形態を図面に基づいて説明する。　
　【００２４】本実施の形態は、図１に示すように、光源２と、光源２からの光を伝達する平板上の導光板１と、導光板１の裏面に沿うように配置される反射シート３と、導光板１の上面に配置される光補正シート４，５と、これらの部材を囲んで支持するように配される金属製の筐体９，１０とを備える照明ユニットＵＴである。・・・。図４は、照明ユニットＵＴの上に液晶パネル１１と第１の金属製筐体としてフロントカバー１２を取り付けた液晶表示装置ＬＤの断面を示した図である。　
　・・・・・。　
　【００２７】このような照明ユニットＵＴは、導光板１と反射シート３と蛍光放電管２を組み立てた後、箱形をした筐体９に収納することにより、これらの部材１，２，３が保持される。本実施の形態の筐体９は、導光板１を外周側と下方側から保持するもので、さらに、この筐体９と上方側から嵌合する筐体１０と組み合わされて、図１に示す照明ユニットＵＴが完成する。このような筐体９，１０は、樹脂ゴミの発生をなくすために金属製の板材から形成されており、ステンレスや鉄等が使用される。この時、ゴムホルダー８は、金属製筐体９、１０と蛍光放電管２との絶縁という本来の役割を果たすとともに、蛍光放電管２及び導光板１の位置を規制する位置決め部材としての役割、さらには、ゴムホルダー８自身の持つ弾性により外部からの衝撃から蛍光放電管２を守る役割を受け持つ。　
　【００２８】そして、図４に示すように、この照明ユニットＵＴの上に、液晶パネル１１が搭載され、その上にフロントカバー１２が取り付けられて液晶表示装置ＬＤが完成する。なお、上記フロントカバー１２も一種の金属製筐体である。　
　・・・　
　【００４１】液晶パネル１１を載せた後、フロントカバー１２を被せて図４に示す液晶表示装置ＬＤが完成する。フロントカバー１２は筐体９に設けられた爪９Ｋとかん合することで固定されている。」　
　
４−２　対比・判断　
４−２−１　対比　
　本願発明と引用発明とを対比する。
（Ａ）ノートブックコンピュータの表示装置は、画像を表示する機能を有しているのが通常であるから、引用発明の「ノートブックコンピュータの表示装置を構成する液晶パネル」は、本願発明の「画像を表示する液晶パネル」に相当する。
（Ｂ）引用発明の「バックライトユニット」、「サポートメイン５８」は、それぞれ、本願発明の「バックライト部」、「サポートメイン」に相当する。
（Ｃ）引用発明の「前記サポートメイン５８の上部に設けられ、直角に折り曲げられた平面部と側面部とを有し、前記平面部が前記液晶パネルの前面に位置し、前記サポートメイン５８と前記液晶パネルを固定するためのケーストップ５２」は、「前記サポートメインの上部に設けられ、前記液晶パネルとサポートメインが前面に離脱することを防止」する限りにおいて、本願発明の「メタルサッシ」に相当する。
（Ｄ）引用発明の「カバーボトム」は、そのサイド部がメタルサッシのサイド部に係合する限りにおいて，本願発明の「マウンティングフレーム」に相当する。
（Ｅ）引用発明の「前記ケーストップと前記カバーボトムの側面上に形成されたスクリューホール」は、スクリューを用いて係合するためのスクリューホールであるから、本願発明のマウンティングフレームの「サイド部とメタルサッシ」に「貫通して形成され」た「結合のための締結ホール」に相当する。
（Ｆ）引用発明の「スクリュー」は、本願発明における螺子結合のための「螺子」に相当する。
　
　以上のことから、両者は、　
「画像を表示する液晶パネルと前記液晶パネルの下部に設けられるバックライト部を収納するサポートメインと、
　前記サポートメインの上部に設けられ、前記液晶パネルとサポートメインが前面に離脱することを防止するメタルサッシと、　
　前記メタルサッシに結合されるマウンティングフレームを含めてなり、
　前記マウンティングフレームは、メタルサッシに結合されるサイド部を含めてなり、
　前記サイド部とメタルサッシには結合のための締結ホールが貫通して形成されている　
　液晶表示装置のマウンティングフレームの結合構造。」　
の点で一致するものの、以下の点で相違し、その余に格別の相違点は認められない。
　
（相違点１）本願発明のメタルサッシは、「外面の内側に曲折した段差部が形成され」、「前記段差部の深さは、前記段差部に結合される前記マウンティングフレーム」の「サイド部」の「厚さより深く形成され」ているのに対し、引用発明では、メタルサッシとマウンティングフレームとが結合されているものの、段差部が形成されておらず、段差部に結合されるものではない点。　
　
（相違点２）本願発明のマウンティングフレームは、「回路基板などが位置するように空間を形成する」のに対し、引用発明のカバーボトム６２は、その点が明らかでない点。　
　
（相違点３）本願発明の「メタルサッシ」はその材質がメタルであるのに対し、引用発明の「ケーストップ５２」は、その材質が明らかでない点。　
　
（相違点４）本願発明では、マウンティングフレームの「サイド部にはフックが形成され、前記メタルサッシとサポートメインにはフックが挿入されるホールが貫通形成され」ているのに対し、引用発明には「フック」、「フックが挿入されるホール」の何れも形成されていない点。
　
（相違点５）本願発明では、「前記サポートメインには前記締結ホールに対応する締結溝が形成され」るとともに、「前記締結ホールと締結溝の内面には螺子結合のための螺子山が形成され」ているのに対し、引用発明では、サポートメインにインサートナットが挿入されるとともに、インサートナットとスクリューとが契合していることから、インサートナットの内面には螺子結合のための螺子山が形成されているものの、締結ホールと締結溝の内面に螺子結合のための螺子山が形成されていない点。
　
４−２　判断
　以下、上記相違点について検討する。　
（相違点１について）上記刊行物２に記載された図１、図４の右端には、筐体９がその側部を内側に曲折した段差部をそなえ、該段差部は、筐体１０の厚さとほぼ同じ深さに形成されており、筐体９と筐体１０が該段差部にて結合している構造の発明が開示されている。メタルサッシとマウンティングフレームを結合する際に刊行物２に記載される結合構造を採用することは、当業者が容易に想到しうることであり、そしてその際、段差部の深さを結合する相手方の部材の厚さより深くすることも、外郭が突出しないよう当業者が適宜為し得る事項に過ぎず、格別の困難性は認められない。また、装置の幅が減少するという作用効果も、該結合構造を採用することにより、その構造からして当業者が容易に予測しうる程度のものに過ぎない。　
　したがって、引用発明に引用刊行物２に記載された結合構造を採用し、相違点１に係る構成とすることは当業者が容易に想到し得たものと認める。　
　
（相違点２について）　
　液晶パネルとバックライト部を有する液晶表示装置において、液晶パネルやバックライトを駆動する回路を内蔵することは周知・慣用の技術手段であり、バックライトとボトムケース（カバーボトム）との間の空間に印刷回路ボードを配置する構成も例えば特開２００２−７２１７３号公報の図２及びその説明部分に記載されるよう周知であることから、引用発明において液晶やバックライトを駆動する回路を位置させることができるように、カバーボトムが「回路基板などが位置するように空間を形成」するよう為すことは、当業者が容易に為し得たことと認められる。　
　
（相違点３について）筐体を金属製とすることは、上記刊行物１の【００１０】（ケーストップ２２がステンレスで製作されることが記載されている。）或いは、上記刊行物２の【００２７】（ステンレスや鉄等が使用される旨記載されている。）に記載されるよう周知の事項であるから、引用発明の「ケーストップ５２」を金属製（メタル）とすることに困難性はない。　
　
（相違点４について）
　本願発明における「フック」と、「フックが挿入されるホール」は、明細書の【００２４】【００３１】等の記載によれば、マウンティングフレームのサイド部、メタルサッシ、サポートメインとを結合する結合手段としての機能を有するものであるが、その具体的態様等は開示されていない。一般に、結合手段としてフックとフックホールを用いることは周知・慣用の結合手段（例えば、特開２００２−３５４８１号公報では、フック３３が、フックホール２４に装着されている。特開平６−１６０８２０号公報では、フック突起３７とフック孔４３が係合している。また、爪ではあるが、上記刊行物２には、筐体に設けた爪９Kとフロントカバー１２がかん合する結合構造が図４に開示されており、フックによる結合と同様と認められる。）であり、螺子による結合手段とともにフックとフックホールを備えることに困難性は認められない。
　
（相違点５について）
　引用刊行物１の上記摘記箇所（ロ）には、サポートメイン、トップケースをスクリューで固定することが開示されており、ケーストップのホールに圧入されたインサートナットと、サポートメインに形成されたスクリュー孔に、スクリューを差し込んで締め付けることが開示されている。
　該開示事項によれば、サポートメインはスクリュー孔を形成できるものであるから、引用発明において、螺子結合のためのインサートナットをサポートメインに圧入することに代え、サポートメインに締結ホールとその内面に螺子山を形成し、結合手段と為すとは当業者が容易に想到し得ることである。そしてその際、メタルサッシとマウンティングフレームに形成した締結ホールに、その内面に螺子山を形成するよう為すことにも困難性は認められない。
　
　以上のとおり、上記相違点１〜５は、何れも格別のものとは認められなく、また、本願発明の作用効果も、上記刊行物１，２に記載された発明と周知技術とから当業者が容易に予測しうる程度のものと認められる。
　したがって、本願発明は、刊行物１，２に記載された発明と周知技術とに基いて当業者が容易に発明をすることができたものと認める。
　
（平成２１年５月１日付け意見書に対して）
　審判請求人は、意見書において
「刊行物１の［図３］に示されるように、係止溝２０は、複数の追加の工程により、全面カバー１２に挿入される結合片１８に形成されています。すなわち、刊行物１は、係止溝２０を形成するために複数の追加の工程を必要とします。具体的には、そのような工程として、結合片１８を製造する第１の工程、結合片１８に係止溝を形成する第２の工程、及び、全面カバー１２へ係止溝を有する結合部を挿入する第３の工程を含みます。
　これに対して、本件発明は、ホールが液晶パネルからバックライトまで及んでいるサポートメイン２に形成されることから、フックが挿入されるホールを形成する１の工程が要求されるに過ぎません。
　従って、本件発明においては、刊行物１におけるように係止溝２０を形成するための３つの工程を必要とすることがないため、フックが挿入されるホールを形成するためのコスト及び製造時間を低減できる効果を有します。」
と主張する。しかしながら該主張は、平成２０年１０月１４日付け審尋に応答して提出した平成２１年１月１４日付け回答書における主張と同一内容であって、当審拒絶理由で引用した刊行物に対する主張ではなく、拒絶査定で引用した刊行物（特開２００２−２１５０６１号公報）に対する主張であるから、採用できない。
　
　
５．むすび
　
　以上のとおり、本願発明は、上記当審から通知した拒絶理由が依然として解消しておらず、特許を受けることができない。したがって、本願は、上記の拒絶理由によって拒絶すべきものである。
　
　よって、結論のとおり審決する。